(57)【特許請求の範囲】
【請求項１】
ＷＬＡＮ位置検出及び場所に基づくサービス提供のための方法であって、該方法は、
地理単位のＷＬＡＮデータセットを、モバイル機器の使用のために該モバイル機器に保存するステップ（Ｓ１）と、
前記モバイル機器によって、少なくとも３つのＷＬＡＮ送信器からＷＬＡＮ信号を受信するステップ（Ｓ２）と、
前記モバイル機器によって、受信したＷＬＡＮ信号に基づいてＷＬＡＮ送信器を自律的に識別するステップ（Ｓ３）と、
前記モバイル機器によって、前記ＷＬＡＮデータセットと、前記少なくとも３つの異なるＷＬＡＮ送信器から受信したＷＬＡＮ信号とを比較して、前記モバイル機器の実際の位置を算出するステップ（Ｓ４）と、
場所に基づくサービスについてユーザの要求を受信するステップ（Ｓ１６）と、
算出された前記実際の位置に基づいて、前記モバイル機器によって、サービスデータセットの中から少なくとも一つの提供を検索するステップ（Ｓ１７）と、
算出された前記実際の位置に基づいて、前記モバイル機器によって、前記モバイル機器のユーザに、場所に基づくサービスを提供するステップ（Ｓ５）と、
前記モバイル機器によって、少なくとも４つの前記受信したＷＬＡＮ信号に基づいて前記ＷＬＡＮデータセットを更新するステップ（Ｓ６）と、を含み、
前記ＷＬＡＮデータセットが、前記地理単位の内部の地理的位置で受信可能な前記ＷＬＡＮ送信器について電磁場強度の分布を提供するＷＬＡＮ指紋であることを特徴とする、方法。
【請求項２】
前記更新するステップは、
前記モバイル機器によって、前記実際の位置について、前記受信したＷＬＡＮ信号と前記ＷＬＡＮデータセットとを比較するステップ（Ｓ７）と、
比較で乖離がある場合は、前記モバイル機器によって、前記ＷＬＡＮデータセットの保存サイトに、新しいＷＬＡＮデータとともに更新信号を送信するステップ（Ｓ８）と、
比較で乖離がない場合は、前記モバイル機器によって、前記保存サイトに、タイムスタンプとともに確認信号を送信するステップ（Ｓ９）と、
比較で乖離がある場合、前記新しいＷＬＡＮデータによって前記ＷＬＡＮデータセットのデータを交換するステップ（Ｓ１０）と、
比較で乖離のない場合、前記ＷＬＡＮデータセットにタイムスタンプを割り当てるステップ（Ｓ１１）と、を含むことを特徴とする、請求項１記載の方法。
【請求項３】
前記モバイル機器の前記実際の位置の識別及び算出は、ウェブへのアクセスを必要としないことを特徴とする、請求項１から２迄の何れかに記載の方法。
【請求項４】
前記実際の位置の算出は、前記ＷＬＡＮデータセットと比較した前記受信したＷＬＡＮ信号の画定された乖離を許容することを特徴とする、請求項１から３迄の何れかに記載の方法。
【請求項５】
前記場所に基づくサービスは、サービスデータセットから提供され、
前記サービスデータセットは、サーバから前記モバイル機器にダウンロード可能であることを特徴とする、請求項１から４迄の何れかに記載の方法。
【請求項６】
前記場所に基づくサービスは、レストラン、ホテル、タクシーサービス、医療サービス、薬局、文化的娯楽、輸送管理、ロジスティクス、供給チェーン管理、個人の移動誘導、公共輸送車両の位置検出、モバイルマーケティング、公報活動又は友人探索を含むグループから選択された事業によるものであることを特徴とする、請求項１から５迄の何れかに記載の方法。
【請求項７】
前記モバイル機器のマップデータを提供するステップ（Ｓ１３）と、
前記マップデータを用いて、ユーザに前記地理単位の少なくとも一部分を表示するステップ（Ｓ１４）と、
ユーザに前記実際の位置をディスプレイで表示するステップ（Ｓ１５）と、をさらに含むことを特徴とする、請求項１から６迄の何れかに記載の方法。
【請求項８】
ユーザに少なくとも一つの提供をディスプレイに表示するステップ（Ｓ１８）をさらに含むことを特徴とする、請求項１から７迄の何れかに記載の方法。
【請求項９】
ある時間期間の間に算出された複数の位置に基づいて、前記モバイル機器の移動の速度と方向を算出するステップ（Ｓ１９）をさらに含むことを特徴とする、請求項１から８迄の何れかに記載の方法。
【請求項１０】
算出された前記モバイル機器の移動の速度と方向に基づいて、前記モバイル機器によって、場所に基づくサービスを提供するステップ（Ｓ２０）をさらに含むことを特徴とする、請求項１から９迄の何れかに記載の方法。
【請求項１１】
前記実際の位置の算出は、前記モバイル機器の第１のアルゴリズムによって行われることを特徴とする、請求項１から１０迄の何れかに記載の方法。
【請求項１２】
前記実際の位置の算出は、前記モバイル機器の三次元位置検出であることを特徴とする、請求項１から１１迄の何れかに記載の方法。
【請求項１３】
前記ＷＬＡＮ信号について、地理単位を計測することによって、前記ＷＬＡＮデータセットを生成するステップ（Ｓ２１）をさらに含むことを特徴とする、請求項１から１２迄の何れかに記載の方法。
【請求項１４】
前記ＷＬＡＮデータセットを生成するステップは、
送信器ごとに送信されるＷＬＡＮ信号に基づいて、地理単位の内部の選択された地理的位置において受信可能なＷＬＡＮ送信器の各々を識別するステップ（Ｓ２２）と、
前記選択された地理的位置において受信可能なＷＬＡＮ送信器の各々のＷＬＡＮの場の強度を計測するステップ（Ｓ２３）と、
前記選択された地理的位置のＧＰＳ座標を計測するステップ（Ｓ２４）と、
計測された前記ＧＰＳ座標を計測された前記ＷＬＡＮの場の強度に割り当て、受信可能なＷＬＡＮ送信器の各々と選択された地理的位置とのデータの組を生成するステップ（Ｓ２５）と、
受信可能なＷＬＡＮ送信器の各々と地理的位置とのデータの組をＷＬＡＮデータセットに保存するステップ（Ｓ２６）と、を含むことを特徴とする、請求項１から１３迄の何れかに記載の方法。
【請求項１５】
受信可能なＷＬＡＮ送信器の各々のデータの組にタイムスタンプを割り当てて、時間データの組を生成するステップ（Ｓ２７）をさらに含むことを特徴とする、請求項１３又は１４に記載の方法。
【請求項１６】
前記地理単位の内部にさらなる地理的位置を画定するステップ（Ｓ２８）と、
画定された前記さらなる地理単位においてステップＳ２２〜Ｓ２６を繰り返すことによって前記地理単位を走査するステップ（Ｓ２９）と、をさらに含むことを特徴とする、請求項１４又は１５に記載の方法。
【請求項１７】
前記ＷＬＡＮデータセットの生成は、計測デバイスで第２のアルゴリズムによって行われることを特徴とする、請求項１から１６迄の何れかに記載の方法。
【請求項１８】
ＷＬＡＮ位置検出及び場所に基づくサービス提供のためのモバイル機器であって、該モバイル機器は、メモリと、ＷＬＡＮ受信器と、プロセッサと、ディスプレイと、
地理単位のＷＬＡＮデータセットと、を含み、
前記ＷＬＡＮデータセットはメモリに保存され、
前記ＷＬＡＮデータセットは前記地理単位の内部の地理的位置で受信可能な前記ＷＬＡＮ送信器について電磁場強度の分布を提供するＷＬＡＮ指紋であり、
前記ＷＬＡＮ受信器は、ＷＬＡＮ信号を受信するように構成され、
前記プロセッサは、前記ＷＬＡＮデータセットと、受信したＷＬＡＮ信号とを比較して、前記モバイル機器の実際の位置を算出するように構成され、
前記モバイル機器は、場所に基づくサービスについてユーザの要求を受信するように構成され、
前記モバイル機器は、算出された前記実際の位置に基づいて、サービスデータセットの中から少なくとも一つの提供を検索するように構成され、
前記ディスプレイは、算出された前記実際の位置に基づいて、前記モバイル機器のユーザに、場所に基づくサービスを提供するように構成され、
少なくとも４つの受信したＷＬＡＮ信号との前記比較に基づいて、前記ＷＬＡＮデータセットの保守サイトに、更新信号を送信するように構成された送信ユニットをさらに含むことを特徴とする、モバイル機器。
【請求項１９】
モバイル機器で使用されると、請求項１から１７迄の何れかに記載の方法のステップを前記モバイル機器に実行させるように構成されたことを特徴とする、コンピュータプログラム。
【請求項２０】
請求項１９記載のコンピュータプログラムが保存されることを特徴とする、コンピュータ可読媒体。
【発明の詳細な説明】
【技術分野】
【０００１】
本発明は、位置検出システム、及び、場所に基づくサービスの提供に関する。例えば、本発明は、ＷＬＡＮ位置検出及び場所に基づくサービス提供の方法、ＷＬＡＮ位置検出及び場所に基づくサービス提供のためのモバイル機器、地理単位のＷＬＡＮデータセットを生成するための携帯計測デバイス、及びコンピュータ可読媒体に関する。
【背景技術】
【０００２】
本発明は、２００７年１２月６日に出願された米国仮特許出願第６０／９９２，８７８号の出願日の優先権を主張するものであり、本明細書は、この特許の内容を参照により包括する。
【０００３】
位置測定は、ナビゲーションシステム、及び、場所に基づくサービスの主要な要素である。三次元空間における対象物及び個人の位置検出（ｌｏｃａｌｉｚａｔｉｏｎ）は、現在の技術において重要な機能となっている。グローバルポジショニングシステム（ＧＰＳ）などの衛星を利用したシステムの第１世代の位置測定システムが提供された後、ストリートキャニオンなどの都市部のインフラをより高い解像度を提供することができる位置検出システムの開発が一層重要になってきている。ＧＰＳは、例えば、ユーザと異なる複数の衛星との間に一定の相互可視性を必要とするため、位置決定は、建造物のある地域では困難となる場合がある。さらに、ＧＰＳを利用したシステムはコストが高く、位置検出に追加のユーザのデバイスが必要となる。ＷＬＡＮのアクセスポイントが増加し、様々な電子デバイスでＷＬＡＮ機能が実装されていることから、利用可能なＷＬＡＮが極めて高度になる時代には、ＷＬＡＮ電波は、特に、都市地域においていたるところに存在する。さらに、更新されたユーザ自身の実際の位置に対してユーザにサービスを提供するという、場所に基づくサービスの需要が最近高まっている。既知の位置検出工程は、しばしば、伝播するＷＬＡＮ信号の場の強度の算出のみに基づくので、算出処理時に考慮していなかった建造物及びその他の障害物がエラーの原因となることがある。
【発明の概要】
【発明が解決しようとする課題】
【０００４】
本発明は、改善された場所に基づくサービス及びＷＬＡＮ位置検出を提供することを目的とする。
【課題を解決するための手段】
【０００５】
本書で記載する実施形態は、ＷＬＡＮ位置検出及び場所に基づくサービス提供のための方法、ＷＬＡＮ位置検出及び場所に基づくサービス提供のためのモバイル機器、地理単位のＷＬＡＮデータセットの生成のための携帯計測デバイス、コンピュータプログラム要素及びコンピュータ可読媒体に関する。詳細には記載しないが、異なる実施形体の組み合わせから相乗効果を得ることができる。
【０００６】
さらに、方法に関する本発明の全ての実施形態は、記載しているステップの順序で実行することができるが、これは、方法ステップの唯一必須の順序ではないことに留意されたい。方法ステップの全ての異なる順序及び組み合わせをここに記載する。
【０００７】
本発明の第１の態様によると、ＷＬＡＮ位置検出及び場所に基づくサービス提供のための方法が提示される。該方法は、地理単位のＷＬＡＮデータセットを、モバイル機器の使用のために提供するステップと、モバイル機器によって、少なくとも３つのＷＬＡＮ送信器からＷＬＡＮ信号を受信するステップと、モバイル機器によって、受信したＷＬＡＮ信号に基づいてＷＬＡＮ送信器を自律的に識別するステップと、を含む。さらに、本方法は、モバイル機器によって、ＷＬＡＮデータセットと、少なくとも３つの異なるＷＬＡＮ送信器から受信したＷＬＡＮ信号とに基づいて、モバイル機器の実際の位置を算出するステップと、算出された実際の位置に基づいて、モバイル機器によって、モバイル機器のユーザに、場所に基づくサービスを提供するステップと、を含む。
【０００８】
ユーザのモバイル機器における自主的及び自律的なＷＬＡＮ検出及び場所に基づくサービス提供は、ウェブへのアクセス又は技術的機器を必要としない。さらに、位置情報は、モバイル機器に確保されているので、本発明の方法ユーザは、外部システムから位置検出されることはない。
【０００９】
ＷＬＡＮデータセットを提供することは、それぞれの地理単位のＷＬＡＮデータセットのファイルをモバイル機器に保存することを含むことができる。また、サーバなどの外部のＷＬＡＮデータ保存システムへのアクセスも、ＷＬＡＮデータセットを提供する手段に含まれる。地理単位とは、ＷＬＡＮ送信器が配置された、村、都市、又は都市の郊外などの周囲の任意の地域でよい。ＷＬＡＮデータセットはまた、当該地理単位の中の全て又はいくつかの正確な地理的位置において受信可能な全てのＷＬＡＮの場の強度についての、特定の時点における地理単位のＷＬＡＮ指紋とみなしてもよい。したがって、ＷＬＡＮデータセットは、地理単位の内部で受信可能なＷＬＡＮ送信器の各々について電磁場強度の分布を提供する。換言すると、ＷＬＡＮデータセットは、モバイル機器の実際の位置を判定するために用いるＷＬＡＮのレリーフ又はプロファイルとして使用される。受信したＷＬＡＮ信号は、ＷＬＡＮレリーフとマッチングされて、位置を特定することができる。
【００１０】
さらに、モバイル機器という用語は、任意の種類のスマートフォン、携帯電話、任意の種類のＰＤＡ（ｐｅｒｓｏｎａｌ  ｄｉｇｉｔａｌ  ａｓｓｉｓｔａｎｔ）、ノートブックパソコン、通常のＰＣ、電子辞書、又は、ＷＬＡＮ信号を周囲環境から受信する可能性を提供する、その他の任意のハンドヘルドモバイル機器を含むことができる。
【００１１】
さらに、ＷＬＡＮ信号という用語は、電磁場強度、及び、ＷＬＡＮ信号を介して送信することができる、例えば、ＩＤ、固有のネットワークアドレス、又は、送信器のＩＰ番号などの情報を含むことができる。ＷＬＡＮ場を介して送信される任意の情報は、ＷＬＡＮデータセット、又は、ＷＬＡＮレリーフと照合して位置を特定するために用いることができる。ＷＬＡＮ送信器という用語は、これらの機能のために使用される。
【００１２】
モバイル機器によるＷＬＡＮ送信器の自律的な識別によって、ウェブへのアクセス又はＧＰＳをサポートとしたシステム、又は、位置検出及び場所に基づくサービスを提供するために必要なその他の種類のデータベースへの接続は存在しない。したがって、ＷＬＡＮ位置検出のための方法は、全ての利用可能なＷＬＡＮネットワーク又はＷＬＡＮ送信器、商用ＷＬＡＮホットスポット、及び、私用ＷＬＡＮ送信器を使用して位置検出の処理及び場所に基づくサービスの提供を行うと考えることができる。
【００１３】
さらに、算出は、受信されたＷＬＡＮの場の強度及び、ＷＬＡＮ信号の中で送信された送信器の識別情報に基づき、ユーザ要求時にユーザが存在する位置（要求位置）について、受信したＷＬＡＮ信号とＷＬＡＮデータセットのデータを比較して行われる。したがって、算出には３つ以上の数のＷＬＡＮ送信器が必要な場合がある。しかし、いくつかのＷＬＡＮインフラでは、１つだけのＷＬＡＮ送信器又は２つのＷＬＡＮ送信器でも、モバイル機器又は本方法が、実際の位置を特定するために十分な場合がある。
【００１４】
一般的に、この算出処理では、ＷＬＡＮデータセットは、ユーザがその時点で移動している地理単位のＷＬＡＮ指紋として使用される。ＷＬＡＮデータセットには、当該地理単位の内部の各々の位置において受信可能なＷＬＡＮ送信器の場の強度が保存されている。サービス又は位置検出の要求時、実際に受信されたＷＬＡＮ信号は、ＷＬＡＮデータセットのデータと比較される。換言すると、送信器の識別とともにＷＬＡＮ信号を受信した後、ＷＬＡＮデータセットは受信したＷＬＡＮ送信器の各々の場の強度分布の情報をモバイル機器に提供する。これらのデータを受信したＷＬＡＮの場の強度と比較することによって、ウェブへのアクセス又は外部からの支援なく、モバイル機器自体によるユーザの実際の位置の算出が可能となる。
【００１５】
算出時に、ＷＬＡＮデータセットから基準データを、アルゴリズムの算出のため、及び、地理単位のモデル、及び特定の構成設定パラメータとして提供してもよい。
【００１６】
ユーザの実際の位置の算出後、及び、可能なサービスの要求の後、場所に基づくサービスがモバイル機器によってユーザに提供される。モバイル機器は、要求されたサービスの提供時に、算出された実際の位置を認識して利用する。提案されたサービスの選択処理は、実際の、モバイル機器により事前に決定された位置と、例えば、レストランの開店時間などの要求されたサービスの利用可能性に基づく。モバイル機器によってサービスデータセットから検索され、モバイル機器によって提案されるサービスの情報は、モバイル機器に保存されていてもよいし、外部の記憶媒体に保存されていてもよい。
【００１７】
サービスデータセットは、ＷＬＡＮデータセットに含まれてもよいし、独立したデータセットでもよい。さらに、文書サーバが、ＷＬＡＮデータセット及びサービスデータセットを保存するためのＷＬＡＮ位置検出の一部であってもよい。
【００１８】
場所に基づくサービスを提供するという用語は、ユーザに場所に基づくサービスをディスプレイで表示すること、又は、ユーザに場所に基づくサービスの提案のハードコピーを印刷すること、場所に基づくサービスの提案に関する情報ＳＭＳを送信すること、場所に基づくサービスを、ヘッドホン又はラウドスピーカを介して音声でユーザにアナウンスすることを含んでもよい。
【００１９】
実際の位置の算出時、三角測量法をアルゴリズムで、ＷＬＡＮ位置検出及び場所に基づくサービス提供を実行する方法ステップで実施することができる。
【００２０】
換言すると、モバイル機器とそのユーザの位置検出及び場所に基づくサービスの提供は、このＷＬＡＮ位置検出に用いるために特別に設けられたわけではないＷＬＡＮインフラと組み合わせて実現される。これは、ＷＬＡＮ位置検出を開始するためのコスト及び労力を削減することができ、ユーザに優しく、本方法又はモバイル機器の反応の迅速さ、サービス提供の快適性と速度を高めることができる。本発明の方法は、例えば、ユーザと衛星との間の相互可視性がないためのＧＰＳ又はＧＰＲＳが機能していなくても、サービスをさらに提供することができる。さらに、位置検出は、通常のＷＬＡＮ通信と組み合わせてもよい。
【００２１】
他の本発明の代表的な実施形態によると、本方法は、モバイル機器によって、受信したＷＬＡＮ信号に基づいてＷＬＡＮデータセットを更新するステップをさらに含む。
【００２２】
このＷＬＡＮデータセットを更新する機能は、提供されたＷＬＡＮデータセットが１日２４時間、１年３６５日の間、実際のデータを正確に提案することを保証することができる。第１のシナリオでは、モバイル機器は、位置検出に必要な個数を上回る送信器を受信する。いわゆる過剰な送信器は、乖離がある場合は、ＷＬＡＮデータセットの更新可能性についてモバイル機器によってチェックされる。この処理は、過剰ではない送信器であるＷＬＡＮ送信器からの受信に基づいて位置測定又はＷＬＡＮ位置検出が行われた後に行われてもよい。第２のシナリオでは、位置検出方法を使用せずにモバイル機器の位置を利用できる。この場合、装置はまた、受信したＷＬＡＮ信号をその位置に対応するデータセットの要素と比較して、ＷＬＡＮデータセットのデータをチェックすることできる。例えば、新しい建造物、又は、送信器の不在により場の強度が変化したために乖離がある場合、モバイル機器は、新たな場の強度又は新たな送信器に関する実際の情報を伝えることによって、ＷＬＡＮデータセットの古い要素を更新することができる。
【００２３】
さらに、他の本発明の代表的な実施形態として、更新サービスは、ＷＬＡＮ信号を受信して、乖離が測定された場合には、ＷＬＡＮデータセットを更新することができるモバイル機器又は計測デバイスに地理単位を渡すことによって、地理単位を監視及び制御することによって実施することができる。かかるデバイスは、その自身のＧＰＳ位置を特定し、受信したＷＬＡＮ信号をＷＬＡＮデータセットにおいて空間的に対応する要素と比較する。乖離のある場合は、更新サービスは更新信号を、ＷＬＡＮデータセットを保存したサイトに送信し、実際のデータによってその要素を更新する。あるいは、実際のデータはタイムスタンプを含んでもよい。換言すると、ＷＬＡＮデータセットの自動収集を基準測定として実行することができる。この方法の効率性を高めるために、ＷＬＡＮデータセットの生成と更新は、公共サービス、都市サービス、又は地域の支援で行ってもよい。これは、例えば、地理単位の中の郵便配達人、郵便業務、ロジスティックサービス、ゴミ収集システム、又は自動車清掃によって行ってもよい。この処理は、ＷＬＡＮ信号に関する継続的な建造計画及び室内のＷＬＡＮ指紋データと、室内と室外でも行うことができる。全体として、これは、室内と室外のＷＬＡＮ位置検出及びサービス提供の自己学習方法及びシステムとなる。
【００２４】
本発明の他の代表的な実施形態によると、更新するステップは、モバイル機器によって、実際の位置について、受信したＷＬＡＮ信号とＷＬＡＮデータセットとを比較するステップと、比較で乖離がある場合は、モバイル機器によって、ＷＬＡＮデータセットの保存サイトに、新しいＷＬＡＮデータとともに更新信号を送信するステップと、比較で乖離がない場合は、モバイル機器によって、保存サイトに、タイムスタンプとともに確認信号を送信するステップとを含む。この代表的な実施形態は、比較で乖離がある場合、新しいＷＬＡＮデータによってＷＬＡＮデータセットのデータを交換するステップと、比較で乖離のない場合、ＷＬＡＮデータセットにタイムスタンプを割り当てるステップと、をさらに含む。
【００２５】
更新されたＷＬＡＮデータセットにタイムスタンプを提供することによって、使用する位置検出システムの信頼度を一層高め、本発明を利用する際のユーザの満足度とユーザが感じる自信を向上することができる。
【００２６】
他の本発明の代表的な実施形態は、実際の位置の周囲とＷＬＡＮ信号とに基づいて、受信したＷＬＡＮ信号の範囲を算出するステップをさらに含む。
【００２７】
ＷＬＡＮ送信器の周囲の様々な材料の透過係数、反射係数、吸収反射係数などの電波の伝播特性を用いて、より高い空間解像度で洗練された位置検出処理を実現することができる。
【００２８】
他の本発明の代表的な実施形態によると、モバイル機器の実際の位置の識別及び算出は、ウェブへのアクセスを必要としない。
【００２９】
地理単位の中のＷＬＡＮ送信器の既存のインフラを使用するので、本発明の方法を開始する際にコスト及び労力は発生しない。ＷＬＡＮデータセットはモバイル機器に保存することができ、このデータセットは地理単位の内部で利用可能なサービスを指定することができるので、本発明に係る、ＷＬＡＮ位置検出及び場所に基づくサービス提供のための自律的な方法を処理するために、無線又は有線接続は不要である。
【００３０】
他の本発明の代表的な実施形態によると、実際の位置の算出は、ＷＬＡＮデータセットと比較した受信したＷＬＡＮ信号の画定された乖離を許容する。
【００３１】
継続的で正確な位置検出及びサービス提供を実現するために、このステップは、特定の地理的位置における場の強度の時間ごとの乖離を考慮することができる。天候条件、又は、地理単位のインフラの様々な交通状態が、複数の異なる受信可能な送信器のＷＬＡＮ伝播を僅かに逸脱させることがある。これは、位置検出の算出アルゴリズムの中に数学的に組み込むことができる。
【００３２】
他の本発明の代表的な実施形態によると、場所に基づくサービスは、サーバからモバイル機器にダウンロード可能なサービスデータセットから提供される。
【００３３】
広範囲のサービスをモバイル機器のユーザに提供できるように、様々な種類のデータベース又はデータバンクがサービスデータセットをモバイル機器に供給することができる。必要な情報をダウンロードした後にモバイル機器による自律的なサービス提供が可能となる。サービスデータセットは、他の記憶媒体に保存してもよい。
【００３４】
他の本発明の代表的な実施形態によると、前記場所に基づくサービスは、レストラン、ホテル、タクシーサービス、医療サービス、薬局、文化的娯楽、輸送管理、個人の移動誘導、公共輸送車両の位置検出、モバイルマーケティング、又は、友人探索を含むグループから選択された事業によるものである。
【００３５】
個人をいくつかの異なる場所、サービス又はイベントにナビゲートすることは、モバイル機器によって実現することができる。個人を自身の自動車に誘導することを一例として挙げることができる。また、外部サーバ又はワークステーション、ユーザの個人環境の人間、医者、映画館、劇場、タクシーサービスなどの異なる種類の通信パートナーへの予約、ブッキング、確認、キャンセル、通知などを行うために通信ツールを設けることができる。このモバイル機器の事務機能は、知らない街をナビゲートしようと試みる、特に、特定のサービスを検索する時に、個人の仕事を軽減する。さらに、ユーザの実際の位置に応じて、モバイル機器のユーザに市場の動向を表示することができる。場所に基づくサービスの他の用途は、友人探索、即ち、ユーザの近くの環境にいるユーザの友達へのナビゲーションである。既に定義された人間のグループ（例えば、友達）のモバイル機器と、相互に連絡を取り合い、ＷＬＡＮで位置検出された位置についてれそれぞれ更新し合うことができる。二人の距離が予め定義された閾値を下回る場合、それぞれのモバイル機器によってユーザに信号をアナウンスしてもよい。
【００３６】
他の本発明の代表的な実施形態によると、本方法は、モバイル機器のマップデータを提供するステップと、マップデータを用いて、ユーザに地理単位の少なくとも一部分を表示するステップと、ユーザに実際の位置をディスプレイで表示するステップと、をさらに含む。
【００３７】
ユーザを直感的な方法でナビゲートし、ガイドするため、２次元マップデータ、３次元マップデータ、アニメマップデータ、色付きマップデータなどの複数の異なるタイプのマップデータを用いて実際の位置、サービス、又は、サービスへの行き方を表示することができる。
【００３８】
本発明の他の代表的な実施形態によると、本方法は、場所に基づくサービスについてユーザの要求を受信するステップと、算出された実際の位置に基づいて、モバイル機器によって、サービスデータセットの中から少なくとも一つの提供を検索するステップと、少なくとも一つの提供をユーザにディスプレイで表示するステップと、をさらに含む。
【００３９】
ユーザの実際の位置を事前に算出しているので、ユーザに提案するサービスの選択は、実際の居住地の空間座標を考慮する。このため、ユーザに迅速で効率的なサービスの選択を行うことができる。
【００４０】
本発明の代表的な実施形態によると、本方法は、ある時間期間の間に算出された複数の位置に基づいて、モバイル機器の移動の速度と方向を算出するステップをさらに含む。
【００４１】
本発明の代表的な実施形態によると、本方法は、算出されたモバイル機器の移動の速度と方向に基づいて、モバイル機器によって、場所に基づくサービスを提供するステップをさらに含む。
【００４２】
換言すると、測定されたモバイル機器を有するユーザの動きの方向によって、ユーザが向かっているおおよその空間的なエリアに存在するサービスを選択することが可能となる。さらに、到着時間を算出することができるので、各々の可能性のあるサービスについて、開店時間、イベントの開始時間などの追加の情報に基づくさらなるサービスの選択が可能となる。換言すると、サービスデータセットの中から、算出した速度で間に合う可能性のある範囲のサービスのみをユーザにアナウンスすることができる。
【００４３】
他の本発明の代表的な実施形態によると、実際の位置の算出は、モバイル機器の第１のアルゴリズムによって行われる。
【００４４】
第１のアルゴリズムは、モバイル機器に保存することができ、デバイスに本発明の方法を実行させることができるコンピュータプログラム要素の一部でよい。したがって、受信したＷＬＡＮの場の強度と、ＷＬＡＮデータセットで受信可能な送信器の各々についての保存したＷＬＡＮ指紋との比較に基づいて実際の位置を算出するアルゴリズムを提供することができる。
【００４５】
本発明の他の代表的な実施形態によると、実際の位置の算出は、モバイル機器の三次元位置検出である。
【００４６】
追加の高度情報は、位置検出処理によって提供することができる。これによって、高さの異なる複数の建造物にいるユーザであっても、改善したナビゲーションを行うことができる。
【００４７】
他の本発明の代表的な実施形態によると、本方法は、ＷＬＡＮ信号について、地理単位を計測することによって、ＷＬＡＮデータセットを生成するステップをさらに含む。
【００４８】
換言すると、生成モードにおいて、地理位置を計測することによってデータベースを生成する。このデータベースは、ＷＬＡＮ信号を受信することができるモバイル機器又はセンサの動作モード時に使用することができる。位置決めアルゴリズムは、モバイル機器のために前処理されたデータセットであるＷＬＡＮデータセットを使用する。生成時、送信器の各々の場の強度を測定する。受信した出力を知ることによって、送信器の各々の信号が分散した領域を測定することができる。他の可能なステップとして、位置の算出の後のデータの準備をしてもよい。さらに、取得したデータで管理サービスを行うシステムも本方法に含まれる。
【００４９】
他の本発明の代表的な実施形態によると、ＷＬＡＮデータセットを生成するステップは、送信器ごとに送信されるＷＬＡＮ信号に基づいて、地理単位の内部の選択された地理的位置において受信可能なＷＬＡＮ送信器の各々を識別するステップと、選択された地理的位置において受信可能なＷＬＡＮ送信器の各々のＷＬＡＮの場の強度を計測するステップと、を含む。さらに、本代表的な実施形態は、選択された地理的位置のＧＰＳ座標を計測するステップと、計測されたＧＰＳ座標を計測されたＷＬＡＮの場の強度に割り当て、受信可能なＷＬＡＮ送信器の各々と選択された地理的位置とのデータの組を生成するステップと、受信可能なＷＬＡＮ送信器の各々と地理的位置とのデータの組をＷＬＡＮデータセットに保存するステップと、を含む。
【００５０】
この生成は、ＷＬＡＮ位置検出を実行するステップと、場所に基づくサービスを提供するステップの前に行うことができる。
【００５１】
他の本発明の代表的な実施形態によると、本方法は、受信可能なＷＬＡＮ送信器の各々のデータの組にタイムスタンプを割り当てて、時間データの組を生成するステップをさらに含む。
【００５２】
他の本発明の代表的な実施形態によると、本方法は、地理単位の内部にさらなる地理的位置を画定するステップと、画定されたさらなる地理単位において上述のステップを繰り返すことによって地理単位を走査するステップと、をさらに含む。
【００５３】
地理単位のＷＬＡＮデータセットを生成するため、計測デバイスは、これらの複数の異なる測定を行い、選択した位置のＧＰＳ座標を、電磁場強度、受信可能な送信器の各々から送信された送信器の識別などのＷＬＡＮ情報に割り当てることができる。したがって、ＷＬＡＮ受信器とともにＧＰＳユニットを用いる。地理単位の複数の異なる位置でこの工程を繰り返すことによって、送信器の各々の空間的な場の強度分布に関する指紋をＷＬＡＮデータセットに保存することができる。これは、上述の、及び後述する、続く位置検出及びサービス提供のための情報のベースとなる。これらの測定は、保存した値を検証して適合するために、日中及び夜間に行ってもよい。
【００５４】
さらなるステップは、書式設定又は編集を含むＷＬＡＮデータセットのデータの予備処理をしてもよい。この工程の間、それらはさらに、それぞれの地理単位の新たに測定したＷＬＡＮデータで更新、又は、同等化してもよい。
【００５５】
他の本発明の代表的な実施形態によると、ＬＡＮデータセットの生成は、計測デバイスで第２のアルゴリズムによって行われる。
【００５６】
換言すると、第２のアルゴリズムは計測デバイスに、地理単位のＷＬＡＮデータセット又はＷＬＡＮ指紋の生成に関する上述の方法のステップを実行させることができる。したがって、このアルゴリズムは計測デバイスのＷＬＡＮ受信器及びＧＰＳユニットにそれぞれのステップを実行させることができる。
【００５７】
他の本発明の代表的な実施形態によると、ＷＬＡＮ位置検出及び場所に基づくサービス提供のためのモバイル機器が提示される。該モバイル機器は、メモリと、ＷＬＡＮ受信器と、プロセッサと、ディスプレイと、を含む。さらに、メモリは、地理単位のＷＬＡＮデータセットを保存するように構成され、ＷＬＡＮ受信器は、ＷＬＡＮ信号を受信するように構成され、プロセッサは、ＷＬＡＮデータセットと、受信したＷＬＡＮ信号とに基づいて、モバイル機器の実際の位置を算出するように構成されており、プロセッサはさらに、ＷＬＡＮデータセットと受信したＷＬＡＮ信号との比較を実行するように構成されており、ディスプレイは、算出された実際の位置に基づいて、モバイル機器のユーザに、場所に基づくサービスを提供するように構成されている。
【００５８】
換言すると、モバイル機器はユーザに、自律的、即ち、ウェブにアクセスすることなく、自身を空間的に位置検出する可能性を提供する。さらに、サービスデータセットは、モバイル機器に保存することができるので、場所に基づくサービスは、複数の異なるサービス機関、又はデータベースと接触する必要なく、提供することができる。モバイル機器の算出された実際の位置を考慮することにより、ユーザの位置、可能性のある様々なサービス場所への到着時間、及び、デバイスによるユーザの迅速かつ効率的なガイドに適合するサービスをユーザに提案することができる。モバイル機器は、例えば、実際の位置に基づいてモバイルマーケティングを実行することができる。
【００５９】
他の本発明の代表的な実施形態によると、モバイル機器は、比較に基づいて、ＷＬＡＮデータセットの保守サイドに、更新信号を送信するように構成された送信ユニットをさらに含む。
【００６０】
他の本発明の代表的な実施形態によると、地理単位のＷＬＡＮデータセットを生成するための携帯計測デバイスを提示する。該携帯計測デバイスは、ＷＬＡＮ受信器と、ＧＰＳユニットと、プロセッサと、メモリと、を含む。ＷＬＡＮ受信器は、選択された地理的位置において受信可能なＷＬＡＮ信号からＷＬＡＮ送信器を識別するように構成され、ＷＬＡＮ受信器はさらに、選択された地理的位置において受信可能なＷＬＡＮ信号の各々についてＷＬＡＮの場の強度を計測するように構成されている。さらに、ＧＰＳユニットは、選択された地理的位置のＧＰＳ座標を計測するように構成され、プロセッサは、計測されたＧＰＳ座標を計測されたＷＬＡＮの場の強度に割り当て、受信可能なＷＬＡＮ送信器の各々についてデータの組を生成するように構成されている。メモリは、受信可能なＷＬＡＮ送信器の各々についてデータの組をＷＬＡＮデータセットに保存するように構成されている。
【００６１】
他の本発明の代表的な実施形態によると、汎用モバイル機器のユーザがモバイル機器に、上述の実施形態の一つによる方法のステップを実行させるように構成されたことを特徴とする、コンピュータプログラム要素が提示される。
【００６２】
このコンピュータプログラム要素は、演算ユニットに保存することができる。演算ユニットは本発明の実施形態の一部でもよい。演算ユニットは、上述の方法ステップを実行する、又は、実行するように誘発するように構成することができる。さらに、上述のモバイル機器の構成部を動作するように構成うることもできる。演算ユニットは自動的に動作する、及び／又は、ユーザの命令を実行するように構成することができる。さらに、演算ユニットは、ユーザからの選択を要請して、ユーザからの入力を処理することができる。
【００６３】
この本発明の実施形態は、まさに開始から本発明を使用するコンピュータプログラムと、更新によって既存のプログラムを本発明を使用するプログラムに変換するコンピュータプログラムと、の両方をカバーする。
【００６４】
さらに、コンピュータプログラム要素が、上述の方法及びモバイル機器で説明したＷＬＡＮ位置検出及び場所に基づくサービス提供の工程を実現する全ての必要なステップを提供することができるようにしてもよい。
【００６５】
さらなる本発明の実施形態によると、コンピュータ可読媒体が提示される。かかるコンピュータ可読媒体は、上述のコンピュータプログラム要素を自体に保存する。
【００６６】
さらなる本発明の実施形態によると、上述の本発明の実施形態の一つに係る方法を実行するように構成されたコンピュータプログラム要素をダウンロード可能にする媒体が提示される。
【００６７】
さらに、本方法及びサービスは産業コンソーシアムによって提供されてもよい。かかる産業コンソーシアムは、事業者、マップ生成業者、ネットワークサプライヤ、データ取得サービス、コンテンツプロバイダ、システム統合プロバイダ、モバイル機器メーカ、位置検出技術プロバイダを含んでもよい。このため、ＷＬＡＮ位置検出方法、及び場所に基づくサービス提供のための専用のＷＬＡＮデータフォーマット、及びＷＬＡＮインタフェースを、全体のシステムの一部とすることも可能である。また、マップデータは、本発明の方法の用途のために適合させてもよい。他の用途として、携帯サービスを都市情報とリンクさせることもできる。
【００６８】
自律的で自主的なＷＬＡＮ位置検出による位置に基づいて地域のサービスをユーザに提供することを本発明の趣旨として見なすことができる。ここで、位置検出は、モバイル機器に保存されたＷＬＡＮ指紋を用いることができる。
【００６９】
本発明の実施形態は、複数の異なる主題について記載されていることに留意されたい。特に、いくつかの実施形態は、方法形式の請求項について記載されており、他の実施形態は、装置形式の請求項について記載されている。しかしながら、当業者であれば、上記及び以下の記載から、特に別段の記載がない限り、一つの形式の主題に属する特徴の組み合わせに加えて、異なる主題に関連する特徴の間の組み合わせも本出願の範囲であると考慮される。
【００７０】
本発明の上述の態様及びさらなる態様、特徴、及び利点は、以下に記載する実施形態の例示、及び実施形態を参照して説明される例示から導き出すことができる。本発明は、以下、実施形態を例に詳細を説明するが、本発明はこれに限定されることはない。
【図面の簡単な説明】
【００７１】
【図１】本発明の代表的な実施形態に係るＷＬＡＮ位置検出及び場所に基づくサービス提供のユーザの概略図である。
【図２】本発明のさらなる代表的な実施形態に係る表示されるＷＬＡＮ位置検出及び場所に基づくサービス提供の概略図である。
【図３】本発明の他の代表的な実施形態に係るモバイル機器を示す図である。
【図４】本発明の他の代表的な実施形態に係る他のモバイル機器を示す図である。
【図５】本発明の他の代表的な実施形態に係る地理単位のマップデータの概略図である。
【図６】本発明の他の代表的な実施形態に係る表示されたＷＬＡＮ位置検出及び場所に基づくサービス提供の概略図である。
【図７】本発明の他の代表的な実施形態に係る表示されたＷＬＡＮ位置検出及び場所に基づくサービス提供を示す図である。
【図８】本発明の他の代表的な実施形態に係る計測デバイスの概略図である。
【図９】所与の経路に沿った実演用のＷＬＡＮナビゲーションの実験結果の概略図である。
【図１０】本発明の代表的な実施形態に係るＷＬＡＮ位置検出及び場所に基づくサービス提供のための方法ステップの概略フロー図である。
【図１１】本発明の代表的な実施形態に係るＷＬＡＮ位置検出及び場所に基づくサービス提供のための方法ステップの概略フロー図である。
【図１２】本発明の代表的な実施形態に係るＷＬＡＮ位置検出及び場所に基づくサービス提供のための方法ステップの概略フロー図である。
【図１３】本発明の代表的な実施形態に係るＷＬＡＮ位置検出及び場所に基づくサービス提供のための方法ステップの概略フロー図である。
【発明を実施するための形態】
【００７２】
いくつかの図面において類似又は対応する構成には同様の参照番号を付している。図面は概略であり、原寸ではない。
【００７３】
図１に、地理単位２８の内部でＷＬＡＮ位置検出及び場所に基づくサービス提供のためのモバイル機器１の用途を示す。モバイル機器にＷＬＡＮ位置検出及び場所に基づくサービス提供のための方法の代表的な実施形態を適用することによって、ユーザ２５は、このモバイル機器とそのディスプレイ２を用いて、自身の正確な地理的位置と、実際のサービスの提案を見つけることができる。モバイル機器のＷＬＡＮ受信器３は、ＷＬＡＮ送信器２９を識別することができる。これらの送信器は、建造物の外側又は内側に配設してもよい。ここでは、３つのＷＬＡＮ送信器が示されている。算出のためには、３以上の個数のＷＬＡＮ送信器が必要となる場合がある。しかし、いくつかのＷＬＡＮインフラでは、本モバイル機器及び本方法が実際の位置を特定する際に、１つ又は２つのＷＬＡＮ送信器でも十分な場合もある。
【００７４】
モバイル機器は、ＷＬＡＮデータセットを保存することができるメモリ２７を含んでもよいので、位置検出処理及びサービス提供処理は、ｗｅｂへのアクセス、又はＧＰＳへのアクセスは必須ではない。モバイル機器は、ＷＬＡＮ送信器２９を、それらのＩＰアドレスなどの識別部分を含む特徴的な信号によって識別することができる。複数の異なるＷＬＡＮ送信器２９のそれぞれの受信した場の強度を、事前に記憶してある、地理単位２８内部の各々のＷＬＡＮ送信器の場の強度分布と比較することによって、モバイル機器は、ユーザの実際の位置を算出することができる。こうして算出された位置に基づいて、ユーザによるサービス要求は、サービスデータセット３３から選択されたサービスの提供によって応答することができる。このサービスデータセット３３は、モバイル機器１に保存することができる。ＷＬＡＮデータセット３２とサービスデータセット３３は外部のワークステーション又はサーバ２２に保存してもよい。
【００７５】
サーバ２２は、複数の異なるユーザインタフェース１９をさらに含むことができる。モバイル機器に、本発明の実施形態の何れかに係る位置検出及び場所に基づくサービス提供の方法のステップを実行させることができる、コンピュータプログラム要素２０は、サーバに保存してもよい。モバイル機器が本発明の実施形態の代表的な方法に係る全ての方法ステップを実行できるようにするため、コンピュータプログラム要素２０は、モバイル機器、例えば、メモリ２７に保存してもよい。
【００７６】
モバイル機器１とサーバ２２との間のＷＬＡＮデータセット３２とサービスデータセット３３に関するデータの交換のため、ＷＬＡＮ接続などの無線又は有線の通信接続を設けてもよい。したがって、サーバ２２は送信器又は受信器２４を含んでもよく、モバイル機器１は送信ユニット２６を含んでもよい。
【００７７】
図１に、計測デバイス３０を用いて地理単位２８を永続的又は非永続的に走査することができるアップデートデバイス３１をさらに示す。この計測デバイスは、ＧＰＳシステムとともにＷＬＡＮの送受信ユニットを含むことができる。異なる複数の地理的位置を横断することによって、サーバ２２に、ＷＬＡＮデータセットの生成、更新、保存を行うことができる。地理単位２８の各々の特定の地理的位置における、受信可能なＷＬＡＮ送信器の各々の場の強度の測定に基づいて、永続的又は非永続的な更新を、自己学習システムにロードすることができる。場の強度の変更、又は、ＷＬＡＮ送信器の追加又は不在の変更が検出された場合、ＷＬＡＮデータセットを、並行して測定した、測定値の地理的位置のＧＰＳ位置と組み合わせた、新しい実際のデータによって更新することができる。これは、動的なエリア規模のデータ取得とすることができる。
【００７８】
さらに、コンピュータ可読媒体２８を示す。コンピュータ可読媒体２８にはコンピュータプログラム要素２０を保存してもよい。
【００７９】
場所に基づくユーザへのサービス提供は、複数の異なるサービスと事業者支店に関する情報とを含む。例えば、街の歩行者区域の正確な地理的位置を特定することができないユーザに、タクシーを呼ぶサービスを提供することができる。このため、ユーザは、タクシーの電話番号、又は、次にタクシーが到達可能な場所について知らなくてもよい。したがって、モバイル機器は、ＳＭＳを送信する、又は、ウェブサービスを介してタクシーを呼び出す機能を含むことができる。続いて、ユーザは、ディスプレイ２に表示される、統合された街の地図に基づいて、タクシーの位置にガイドされる。さらに、イタリア料理、スペイン料理、ギリシャ料理、ドイツ料理、又はその他のユーザの好みの、様々なスタイルのレストランなどの料理情報をユーザに提供してもよい。これは、事前に算出したモバイル機器１の実際の位置のエリアの中にある、複数の異なるレストランの位置を表示することによって提供することができる。地理単位２８のレストランに関する情報を保存したサービスデータセット３２は、レストランの開店時間、ＧＰＳ座標、又は価格に関する情報を含んでもよい。当然のことながら、モバイル機器は、予約をすることもできる。さらに、複数の異なる価格帯のホテルを、ディスプレイでユーザに示してもよい。さらに、場所に基づくサービスは、個人の観光ガイド、公共輸送車両、特に救急の場合の医薬品サービスの位置検出を含んでもよい。開店している最寄りの薬局、医者などの最寄りの医療サービスなど、最寄りのサービスをユーザに表示してもよい。さらに、モバイル機器は、複数の異なる専門医などの情報も備えてもよい。
【００８０】
場所に基づくサービス提供、及び、サービスデータセット３２は、劇場、映画館などの文化イベントに関する情報をさらに備えてもよい。サービス提供及びサービスデータセットが最新であることを確保するために、自動更新プログラムをインストールして、モバイル機器と、必要な場合はサーバを最新に保つようにしてもよい。さらに、算出された実際の位置に基づいてチケット予約の電話かけをモバイル機器で行ってもよい。提供するサービスの他の例として、複数の異なる路線の停車駅のＧＰＳ位置、又は、時刻表などの公共交通機関に関する情報でもよい。特定の目印又は建造物、一般的には、特定の地理的位置を再び見つけることができるように、ユーザは、この所望の位置をモバイル機器のディスプレイにマーキングすることができる。この位置は、例えば、自動車を駐車した位置でもよい。モバイル機器は、ユーザを、事前にマーキングした位置に、任意の時間に戻れるようにガイドすることができる。ユーザに提供される全てのガイドサービスは、矢印又は音声などの複数の異なる図形又は音声要素を用いてユーザを選択した目的地に導くように可視化したマップデータを用いて行ってもよい。
【００８１】
図２に、ＷＬＡＮ位置検出及び場所に基づくサービスをモバイル機器１でユーザに表示する代表的な実施形態のブラウザ１４を示す。地理単位２８はマップ１２として処理される。ブラウザの複数の異なる機能１７は、ユーザが識別できるように複数の異なるサービス提供場所１０を可視化することができる。ブラウザ１４はまた、ユーザがそれらの場所をディスプレイで見つけた場合、実際にその後、それらの場所へナビゲートすることができる、十分なナビゲーションツールをユーザに提供することができる。さらに、算出されたモバイル機器の位置６が表示される。この位置は事前にＷＬＡＮ位置検出処理によって算出されている。場所に基づくサービス提供を行う複数の異なる事業者１１に関する情報が図２の左側に示され、サービス要求の検索ツール１８は、ユーザが、要求されたサービスを指定できるようにしている。ユーザには、電話番号、住所、インターネットのサイト、例えば、レストラン又はホテルの場合は、価格、予約情報などの複数の異なる情報が提供される。こうしてモバイル機器は、事前に算出した実際の位置に基づいて、又は関連して、選択されたサービスの提案を具体的に提供する。モバイル機器が位置検出用のＷＬＡＮ信号を使用する地域の中から、ブラウザのズーミングツール１７を用いて、地域を指定することが好ましい。これによって、位置検出の解像度を増加することができる。さらに、Ｊａｖａ（登録商標）アプリケーション、ＷＡＰ機能、異なる複数のオフラインサービス、及び携帯ウェブを含んでもよい。
【００８２】
図３に、代表的な実施形態のモバイル機器１を示す。この例では、ディスプレイ２とＷＬＡＮ受信器３を備えたＰＤＡとして示されている。マップとして表示されている地理単位１２は、受信したＷＬＡＮ送信器の３つの異なる位置５と、複数の異なる可視化したサービス提供場所１０を示している。これらは、以前に算出したモバイル機器６の位置に基づいて選択されている。可視化されたマップデータ４は、ユーザのサービス要請に適合するように設計されている。それはユーザの移動の速度と方向に基づいて、より大きなサイズのマップから選択、又は、特別に抽出されてもよい。特に、本発明の方法の必要なステップを全て実行するように、専用のフトウェアをモバイル機器にインストールしてもよい。並行して、現場の位置を送信する機能も有する緊急コールのオプションなど、追加の機能をさらに含めてもよい。
【００８３】
図４に、ＷＬＡＮ位置検出及び場所に基づくサービス提供のための本発明の方法を実行することができる、他の代表的な実施形態のモバイル機器１を示す。モバイル機器の他の例として、携帯電話、ＰＤＡ、又は、ＷＬＡＮ信号を受信することができるその他のハンドヘルドパソコンをモバイル機器として使用することができる。さらに、通常のコンピュータ、又は、ノートブックパソコン、又は、サブノートパソコンも、この目的のために適用することができる。図４には２つの異なる代表的なユーザインタフェース７、８が示されている。第１のユーザインタフェース７は場所に基づくサービスを提供する複数の異なる事業を表示して、モバイル機器のユーザに選択肢を提案する、したがって、可視化されたサービスデータ９は、複数の異なる検索アルゴリズムを有する複数の異なる検索ツールを含むことができる。第２のユーザインタフェース８は、ユーザの正確な要求、即ち、可視化されたマップデータ４のモバイル機器の検索ヒットを特定する。複数の異なる可視化したサービス提供場所１０が、モバイル機器の実際の位置６とともに示される。
【００８４】
図５に、地図表示された地理単位１２の概略図を示す。利用可能な数のＷＬＡＮ送信器３は複数の異なる位置１３に配置されている。これは、図示の街のインフラの内部のどの位置においても、３を超えるＷＬＡＮ送信器がモバイル機器から見えることを示している。
【００８５】
図６に、位置検出及び場所に基づくサービスを表示するブラウザ１４の２つの異なる表示を示す。ブラウザ１４の内部には、地図表示された地理単位１２と、以前に算出したモバイル機器の位置６とが表示されている。さらに、現在ユーザが移動している地理単位の識別１５も行われている。ブラウザの複数の異なる機能１７が装備され、ユーザに十分な検索及び表示ツールを提供する。右手側には、薬局という要求に対する複数の結果として、それぞれのサービス提供場所１０が地理単位内に表示されている。
【００８６】
図７に、ディスプレイ２をタッチ画面とした例において行われる、他の代表的な実施形態の、モバイル機器のユーザによるサービス要求を示す。要求Ｓ１６は、ブラウザ１４に表示されたサービス提供Ｓ１８で応答されている。地理単位１５の名称と算出された表示位置６が可視化されたマップデータ４に示される。左側のブラウザウインドウの左手側の小ウインドウには、受信した、ユーザの要求である場所に基づくサービスＳ１６と、タイレストラン、ギリシャレストラン、イタリアレストランなどの複数の異なるサービスの提案が提示される。右手側には、サービスデータセットから首尾良く選択できたサービスが１０として表示される。サービスデータセットはモバイル機器に保存しておいてもよい。複数の異なるサービス提供１０の選択時には、ユーザの移動の速度と方向を考慮してもよい。
【００８７】
図８に、慣性、及び／又は、マップマッチングを考慮した、センサシステムを使用することができる計測デバイス３０を示す。換言すると、最適な結果を得られるように、ＷＬＡＮ位置検出及び場所に基づくサービス提供の方法と、他の位置検出システムとを組み合わせてもよい。例えば、ＷＬＡＮ送信器を利用できない街の外では、代わりに利用可能なＧＰＳ情報を用いる。さらに、ＷＬＡＮ信号が到達可能な次の位置まで、通りの配置などの地図情報を用いた検出処理を行うことができる。
【００８８】
さらに、ＷＬＡＮ位置検出システムは、ＧＰＳとＷＬＡＮ位置検出の利点を組み合わせた混合位置検出を分析して、解像度を最適化することができる。
【００８９】
図９に、実演用のＷＬＡＮナビゲーション実験結果を示す。第１の直線は、所与の移動経路であり、ｘ印は、経路に沿ったＷＬＡＮステーションである。第２の曲線は、ＷＬＡＮ位置検出と、所定の経路に従ったナビゲーションの基づくナビゲーション結果を示す。
【００９０】
図１０、図１１、図１２、図１３に、ＷＬＡＮ位置検出と、モバイル機器の自律的で自主的なＷＬＡＮ位置検出に基づく場所に基づくサービス提供の方法のステップの概要を表すフロー図を示す。方法ステップＳ１〜Ｓ２９が示されている。ＷＬＡＮ位置検出方法の更新ステップ又は機構は、図１１に詳細を示す、複数の異なるステップＳ７〜Ｓ１１を含むことができる。さらに、ＷＬＡＮ信号で地理単位を測定することによるＷＬＡＮデータセットの生成Ｓ２１は、複数の異なるステップＳ２１〜Ｓ２６を含むことができる。この詳細を図１２に示す。
【００９１】
特許請求範囲の発明を実施する当業者であれば、図面、開示内容、及び添付の特許請求の範囲を研究することによって、ここに開示した実施形態の他の変形を理解し、実現することができる。特許請求の範囲の「含む」という用語は他の構成要素又はステップを除外せず、単数形の表現は複数を除外しない。また、請求項中に記載の数種の要素、ステップの機能は単一のプロセッサ又は他の装置によって行ってもよい。また、複数の相互に異なる従属項に記載された特定の手法は、これらの手法を有利に組み合わせることができないことを示すものではない。コンピュータプログラムは、他のハードウェアの一部として、又は、他のハードウェアとともに提供される光学式記憶媒体又は固体媒体などの好適な媒体で保存／配布することができるが、インターネット、又は他の有線又は無線の通信システムなど、他の形態で配布することもできる。請求項の参照符号は、請求項の範囲を限定するものではない。
【符号の説明】
【００９２】
Ｓ１  モバイル機器の使用のために地理単位のＷＬＡＮデータセットを提供する
Ｓ２  モバイル機器によって、少なくとも三つのＷＬＡＮ送信器からＷＬＡＮ信号を受信する
Ｓ３  モバイル機器によって、受信したＷＬＡＮ信号に基づいてＷＬＡＮ送信器を自律的に識別する
Ｓ４  モバイル機器によって、ＷＬＡＮデータセットと、少なくとも３つの異なるＷＬＡＮ送信器から受信したＷＬＡＮ信号と、に基づいて、モバイル機器の実際の位置を算出する
Ｓ５  算出された実際の位置に基づいて、モバイル機器によって、モバイル機器のユーザに、場所に基づくサービスを提供する
Ｓ６  モバイル機器によって、受信したＷＬＡＮ信号に基づいてＷＬＡＮデータセットを更新する
Ｓ７  モバイル機器によって、実際の位置について受信したＷＬＡＮ信号とＷＬＡＮデータセットとを比較する
Ｓ８  比較で乖離がある場合は、モバイル機器によって、ＷＬＡＮデータセットの保存サイトに、新しいＷＬＡＮデータとともに更新信号を送信する
Ｓ９    比較で乖離がない場合は、モバイル機器によって、ＷＬＡＮデータセットの保存サイトに、タイムスタンプとともに確認信号を送信する
Ｓ１０  比較で乖離がある場合は、新しいＷＬＡＮデータによってＷＬＡＮデータセットのデータを交換する
Ｓ１１  比較で乖離のない場合、ＷＬＡＮデータセットにタイムスタンプを割り当てる
Ｓ１２  実際の位置の周囲とＷＬＡＮ信号とに基づいて、受信したＷＬＡＮ信号の範囲を算出する
Ｓ１３  モバイル機器にマップデータを提供する
Ｓ１４  マップデータを用いて、ユーザに地理単位の少なくとも一部分を表示する
Ｓ１５  ユーザに実際の位置をディスプレイで表示する
Ｓ１６  場所に基づくサービスについてユーザの要求を受信する
Ｓ１７  算出された実際の位置に基づいて、モバイル機器によって、サービスデータの中から少なくとも一つの提供を検索する
Ｓ１８  ユーザに少なくとも一つの提供をディスプレイに表示する
Ｓ１９  ある時間期間の間に算出された複数の位置に基づいて、モバイル機器の移動の速度と方向を算出する
Ｓ２０  算出されたモバイル機器の移動の速度と方向に基づいて、モバイル機器によって、場所に基づくサービスを提供する
Ｓ２１  ＷＬＡＮ信号について、地理単位を計測することによってＷＬＡＮデータセットを生成する
Ｓ２２  送信器ごとに送信されるＷＬＡＮ信号に基づいて、地理単位の内部の選択された地理的位置において受信可能なＷＬＡＮ送信器の各々を識別する
Ｓ２３  選択された地理的位置において受信可能なＷＬＡＮ送信器の各々のＷＬＡＮの場の強度を計測する
Ｓ２４  選択された地理的位置のＧＰＳ座標を計測する
Ｓ２５  計測されたＧＰＳ座標を計測されたＷＬＡＮの場の強度に割り当て、受信可能なＷＬＡＮ送信器の各々と選択された地理的位置とのデータの組を生成する
Ｓ２６  受信可能なＷＬＡＮ送信器の各々と地理的位置とのデータの組をＷＬＡＮデータセットに保存する
Ｓ２７  受信可能なＷＬＡＮ送信器の各々と地理的位置とのデータの組にタイムスタンプを割り当てて、時間データの組を生成する
Ｓ２８  地理単位の内部にさらなる地理的位置を画定する
Ｓ２９  画定されたさらなる地理単位においてステップＳ２２〜Ｓ２６を繰り返しながら地理単位を走査する
１           モバイル機器
２           ディスプレイ
３           ＷＬＡＮ受信器
４           可視化されたマップデータ
５           受信されたＷＬＡＮ送信器の表示位置
６           モバイル機器の算出された表示位置
７           第１のユーザインタフェース
８           第２のユーザインタフェース
９           可視化されたサービスデータ
１０       可視化された複数の異なるサービス提供場所
１１       場所に基づくサービス提供のための複数の異なる事業者
１２       地図表示された地理的位置
１３       ＷＬＡＮ送信器の位置
１４       位置検出及び場所に基づくサービスを表示するためのブラウザ
１５       識別された地理単位
１６       表示されたサービスの要求
１７       ブラウザの複数の異なる機能
１８       サービス要求のための検索ツール
１９       ワークステーションのユーザインタフェース
２０       コンピュータプログラム要素
２１       コンピュータ可読媒体
２２       ワークステーション／サーバ
２３       ワークステーションのディスプレイ
２４       ワークステーションの送信器／受信器
２５       ユーザ
２６       送信ユニット
２７       メモリ
２８       地理単位
２９       地理単位の内部のＷＬＡＮ送信器
３０       計測デバイス
３１       アップデートデバイス
３２       ＷＬＡＮデータセット
３３       サービスデータセット
【図１】
0005513404.tif 000002
【図２】
0005513404.tif 000003
【図３】
0005513404.tif 000004
【図４】
0005513404.tif 000005
【図５】
0005513404.tif 000006
【図６】
0005513404.tif 000007
【図７】
0005513404.tif 000008
【図８】
0005513404.tif 000009
【図９】
0005513404.tif 000010
【図１０】
0005513404.tif 000011
【図１１】
0005513404.tif 000012
【図１２】
0005513404.tif 000013
【図１３】
0005513404.tif 000014